(57)【要約】【課題】  従来のコンベックスは、計測時においてコンベックス本体を保持した状態で一連の操作を行うものであり、制動装置を解除した時に測定テープの衝撃でコンベックスの落下により床などを傷つけたり、計測者の手や指に接触して裂傷などの怪我に繋がることがあった。【解決手段】  コンベックス本体にグリップを設け把持部分を創出することで操作時におけるコンベックスの保持の安定を確保でき、落下の予防に貢献するとともに測定テープの出入り口と計測者の手や指との距離を作り出すことで計測者の手や指を測定テープの接触による怪我から防ぐことを可能とした。【選択図】  図１
2006337292.tif 000002
【特許請求の範囲】
【請求項１】
制動装置を設けた巻尺であるコンベックスにおいて、把持部分を形成するグリップ２をコンベックス本体１の一側面に設けることを特徴とするグリップ付きコンベックス。
【請求項２】
グリップ２に目盛りを設けた請求項１に記載するコンベックス
【発明の詳細な説明】
【技術分野】
【０００１】
本発明は、持ちやすさと安全性の向上を図ったコンベックスである。
【背景技術】
【０００２】
従来のコンベックスは、計測時において計測者が手でコンベックスの容器本体を保持し測定テープを引き出してその距離を計測するものであり、計測の安定を図るために制動装置を操作して測定テープを停止させる。さらに、計測後は制動装置を解除することで測定テープが自動的にコンベックス本体へと巻き取られていく仕組みである。この制動装置を解除した際、自動的に巻き取られた測定テープの勢いはコンベックス本体を保持した手に直接衝撃を与えるものであり落下を誘発させる原因にもなっている。また本体を保持した手と測定テープの出入り口との距離が接近しているために巻き取られた測定テープが接触するなどして計測者が手や指を負傷することもある。
【０００３】
上記のような問題を解決するものとしてはコンベックス本体の容器にカバーを装着して、そのカバーの形状に工夫を凝らすことで、測定者の手に馴染みやすくして落下を予防しようとするものがある（例えば、特許文献１など）。
【０００４】
また、制動装置をコンベックス本体の底面に設けて操作時における本体の保持を安定させ、不意に巻き戻された測定テープによる指や手などへの負傷の危険性を防止できるとするものもある（例えば、特許文献２など）。
【特許文献１】特開２０００−２９２１０３
【特許文献２】特開平１０−２３２１０２
【発明の開示】
【発明が解決しようとする課題】
【０００５】
しかしながら、コンベックス本体の容器にカバーを装着してその形状に工夫を凝らしたとしても、操作を行うに当たってはカバーをしたとはいえ計測者はコンベックスの本体部分を保持した状態にあり、制動装置を解除したときに巻き戻された測定テープの衝撃を直接受けることに変わりはなく落下の予防に貢献するものではない。また、測定テープを減速または停止させる制動装置をコンベックス本体の底面に設けたものについては、コンベックスを保持した手や指の位置関係を変えることなく制動装置を操作することで保持の安定を確保し、操作時におけるコンベックスの落下の予防と不意に巻き戻された測定テープから指や手などの負傷を回避できるとするものであるが、コンベックス本体を保持するという点では特許文献１と同様であり、巻き戻された測定テープの衝撃や接触から指や手の負傷を予防する、とする点についてもコンベックスを保持した手と測定テープの出入り口との距離が近いためにその効果は大きなものとはいえない。  
【０００６】
以上に述べたように従来のコンベックスは、何れも計測時において本体部分を保持した状態で操作を行うものである。
【０００７】
本発明はこのような従来のコンベックスに不足していた操作時における保持の安定と巻き戻された測定テープの衝撃や接触から指や手を守るという安全性の実現を目的とするものである。
【課題を解決するための手段】
【０００８】
そして、本発明はコンベックス本体１にグリップ部分２を設けることで上記の目的を達成するものである（図１〜７参照）。
【０００９】
新たにグリップ部分２を設けることで従来のコンベックス本体１を保持して操作するときと比較してその保持状態に大きな安定性を持たせるものである。また、グリップ２の位置をコンベックス本体の測定テープ３の出入り口と反対側の側壁に設けることで操作時における計測者の手と測定テープ３の出入り口との距離を創出できるものである。
【００１０】
グリップ２の長さは大人の手に納まるサイズを基本とするが、短い距離を効率的に計測できる目的でグリップ２自体にも目盛りを施すことを鑑み１０センチ強を理想とし握りやすさを考慮した太さや形状とするものである。また、グリップ２はその先端のネジ部をコンベックス本体１の受け部に螺着して用いる着脱式とし、未使用時の収納に対応するとともに取り外したグリップ２自体を計測器具として活用する事も可能である。
【００１１】
グリップ２の位置は測定テープ３の出入り口と反対側の本体側面に設けることで計測者の手や指と測定テープの出入り口との間に距離を生み出すことが可能となり、制動装置４を解除した時に巻き戻された測定テープ３の衝撃を緩和するとともに計測者の手や指を測定テープ３の接触による裂傷などのけがから予防できるものとした。  
【００１２】
制動装置４は計測者がグリップ２を握った状態で操作できる位置に設けるもので、これにより一連の計測作業が容易になるとともに操作時の安全性がさらに向上できる。この場合、制動装置４の形状はスライド式やボタン・レバー式などがあるが他の方法によるものでも制動機能を擁するものであれば特に制限を設けるものではない。
【発明の効果】
【００１３】
新たにグリップ部分を作り出すことで従来のコンベックス本体を保持して操作していたときと比較してその保持力は大きく安定し、汗などの滑りによるコンベックスの落下を予防できることで建物の床などを傷つけたりすることへの不安を解消できる。
【００１４】
また、グリップの握りやすさは操作時ばかりではなく携帯時においてもその効果を発揮するものである。特に従来はコンベックスに付属のベルトクリップを利用してベルトに装着するか作業着や作業ズボンのポケットなどに入れて携帯していたため使用時にコンベックスが取り出し難く計測の効率に支障をきたしていた。グリップ部分を設けることで腰袋等の収納具からの出し入れも容易にできるものとなった。
【００１５】
新設したグリップは測定テープの出入り口と反対部分の側面に位置することでその出入り口と測定者の握り手との距離を確保できるため制動装置を解除したときに巻き戻された測定テープの衝撃や接触から指や手を守ることができ、安全性の向上に大きく貢献できるものである。
【００１６】
さらに、グリップ部分を握って測定テープを操作するため従来の指で押さえて測定する時に比べ測定範囲を広げることができ、測定の安定性も向上できた。
【００１７】
また、グリップ自体に目盛りを施すことでコンベックスの測定テープを引き出すことなく短い距離を効率的に計測することを可能にした。
【発明を実施するための最良の形態】
【００１８】
以下、本発明の実施の形態を図１〜図７に基づいて説明する。
【００１９】
コンベックス本体１の容器にグリップ２が螺着可能な雌ネジ部を内壁に持つ受け部を設け、グリップ２を螺着することで新たに把持部分を創出する。通常、コンベックス本体１の容器は一対の部材を重ね合わせて形成されるものであり、重ね合わせて受け部を形成できる容器をそれぞれ成型することで用意に受け部を設けることが可能である。また、受け部は円環状の補強材で強度を高めることもできる。    
【００２０】
グリップの材質は係合したコンベックス本体の保持が可能であれば金属や木のほか硬質の樹脂やゴム等その種類を選ぶものではなく、グリップの形状においても円柱や楕円柱、三角柱や四角柱等多角の面を持つ柱状のものの他、すりこぎ状のものなど計測者の手になじみ易いものであればその形状に制限を設けるものではない。また、グリップの長さは、計測者の手に収まり易く一連の操作が簡便に行える範囲を理想とし、グリップ自体にも目盛りを施すことを鑑み１０センチメートル強のものが最適であるがそれを制限するものではない。グリップの位置についても測定テープの出入り口との距離を保てる事が可能であれば、コンベックス本体のどの面に設けても構わない。
【００２１】
コンベックス本体とグリップの接合方法についてもコンベックス本体のネジ部とグリップに設けた雌ネジ部を螺着するものであっても、螺着に限定することなく嵌着等の他の方法を用いて接合の安定を確保してもよい。またコンベックス本体の容器とグリップ部分を一体化して成型するなどコンベックス本体に把持部を形成することが可能であればその方法は制限するものではない。また、グリップ自体を折りたたみ式や伸縮式にして収納時の小型化を図ることも可能である。
【００２２】
制動装置は計測時の合理性を高めるためコンベックス本体の測定テープと反対側の側壁に設けることを理想とするが、把持した一方の手で操作可能な位置であればコンベックス本体の上面や底面のほかグリップ自体に設けることも可能である。
【００２３】
本発明は以上のような構成でこれを使用するときは、計測者が計測時において腰袋等の収納具からグリップ２を握ってコンベックスを取り出しグリップ２を把持した状態のままもう片方の手の指を使って測定テープ３を引き出して必要な計測箇所の一方に測定テープ３の先端部分を引っ掛けたり押し付けたりして始点を定める。さらに、測定テープ３を引き出しながらもう一方の測定地点を越える辺りで制動装置４を操作して測定テープ３を停止させグリップ３を引き起こす要領で測定テープ３を折り曲げ測定位置を確保してその目盛りの数値をを読み取る。
【００２４】
計測終了後はグリップ２を握った状態のまま制動装置４を解除することで測定テープ３が自動的に巻き取られてコンベックス本体１に納められるものであるが、グリップ２が測定テープの出入り口との距離を作り出すため巻き取られた測定テープから手や指の接触を回避できるとともにグリップ２を一方の手で握った状態のまま一連の操作が可能になり保持の安定を図れるものである。
【実施例】
【００２５】
測定テープについては、一定の数値の間隔（例えば、10センチメートル）で色分けを施すことで大まかな単位の測定値の見誤りを解消する。測定テープの色分けについてはコンベックスのみならず巻尺にも適用するものとする。
【図面の簡単な説明】
【００２６】
【図１】本発明の実施形態を示す斜視図
【図２】本発明の正面図
【図３】本発明の右側面図
【図４】本発明の左側面図
【図５】本発明の平面図
【図６】本発明の断面図
【図７】グリップの側面図
【符号の説明】
【００２７】
１  コンベックス本体
２  グリップ
３  測定テープ
４  制動装置  
【図１】
2006337292.tif 000003
【図２】
2006337292.tif 000004
【図３】
2006337292.tif 000005
【図４】
2006337292.tif 000006
【図５】
2006337292.tif 000007
【図６】
2006337292.tif 000008
【図７】
2006337292.tif 000009